(57)【要約】      （修正有）【課題】修理業者の広告を設備内に掲載してもらいやすくする広告付きマグネットを提供する。【解決手段】広告付きマグネット１００であって、表面に設備を管理する設備管理者から設備を使用する設備使用者に向けた設備使用者向けメッセージが表示される設備使用者向けメッセージ表示領域１１０を有し、裏面がマグネットである。【選択図】図１
0003224379.tif 000002
【実用新案登録請求の範囲】
【請求項１】
広告付きマグネットであって、
表面に設備を管理する設備管理者から設備を使用する設備使用者に向けた設備使用者向けメッセージが表示される設備使用者向けメッセージ表示領域を有し、
裏面がマグネットである、
広告付きマグネット。
【請求項２】
広告付きマグネットおよびスケール付きマグネットであって、
表面に設備を管理する設備管理者から設備を使用する設備使用者に向けた設備使用者向けメッセージが表示される設備使用者向けメッセージ表示領域と、
表面内の一辺にスケールが表示されるスケール表示領域とを有し、
裏面がマグネットである、
広告付きマグネットおよびスケール付きマグネット。
【請求項３】
請求項２に記載の広告付きマグネットおよびスケール付きマグネットにおいて、
前記表面内の四辺にスケールが表示されるスケール表示領域をさらに有する、
広告付きマグネットおよびスケール付きマグネット。
【請求項４】
請求項２に記載の広告付きマグネットおよびスケール付きマグネットにおいて、
前記設備使用者は、家庭や店舗内の冷蔵庫またはドアまたは金属机等を使用する者であり、
前記設備管理者は、家庭や店舗内の冷蔵庫またはドアまたは金属机等の設備を管理している者であり、
前記設備使用者向けメッセージは、冷蔵庫またはドアまたは金属机等を汚さずに使用することを前記設備使用者に促すメッセージである、
広告付きマグネットおよびスケール付きマグネット。
【考案の詳細な説明】
【技術分野】
【０００１】
本考案は、広告付きマグネットおよびスケール付きマグネットに関する。
【背景技術】
【０００２】
裏面２１０に広告印刷を施したレシート用紙が知られている。例えば、特開２００９−１９９０１４号公報（特許文献１）には、「レシート用紙の裏面に広告情報が印刷されるレシート用紙であって、一片のレシート用紙における裏面の広告情報印刷の長さが表面印刷の長さ以下に設定され、一片のレシート用紙において少なくとも一単位の広告情報が印刷表示されていることを特徴とするレシート用紙としたことにより代金支払い時に顧客に対して手渡されるレシート用紙裏面に途切れることなく完全な形で広告情報が印刷されている。」と記載されている。
【先行技術文献】
【特許文献】
【０００３】
【特許文献１】特開２００９−１９９０１４号公報
【考案の概要】
【考案が解決しようとする課題】
【０００４】
特許文献１に記載されている技術では、領収書、受領証として多数配布されるレシートの裏面を有効な広告スペースとして活用できる。しかしながら、従来の技術では、設備管理者にとって、修理業者の広告を設備内に掲載する必要性に乏しい。そのため、設備内に広告を掲載してもらいにくいという問題があった。
【０００５】
本考案の目的は、修理業者の広告を設備内に掲載してもらいやすくすることを可能にする技術を提供することである。
【課題を解決するための手段】
【０００６】
本願において開示される考案のうち、代表的なものの概要を簡単に説明すれば、次の通りである。
【０００７】
本考案の一実施の形態の広告付きマグネットおよびスケール付きマグネットは、広告付きマグネットおよびスケール付き（広告および／またはスケールが表示される）マグネットであって、表面に設備を管理する設備管理者から設備を使用する設備使用者に向けた設備使用者向けメッセージが表示される設備使用者向けメッセージ表示領域を有し、裏面がマグネットである。
【考案の効果】
【０００８】
本願において開示される考案のうち、代表的なものによって得られる効果を簡単に説明すれば以下のとおりである。
【０００９】
本考案の一実施の形態によれば、修理業者の広告が設備内に掲載されやすくなる。
【図面の簡単な説明】
【００１０】
【図１】本考案の一実施の形態における広告付きマグネットの平面図である。
【図２】本考案の一実施の形態におけるスケール付きマグネットの平面図である。
【図３】本考案の一実施の形態におけるスケール付きマグネットの底面図である。
【図４】本考案の一実施の形態におけるスケール付きマグネットの斜視図である。
【考案を実施するための形態】
【００１１】
以下、本考案の実施の形態を図面に基づいて詳細に説明する。なお、実施の形態を説明するための全図において、同一部には原則として同一の符号を付し、その繰り返しの説明は省略する。
【００１２】
図１は、本考案の一実施の形態における広告付きマグネットの平面図である。
【００１３】
図１に示されるように、広告付きマグネット１００は、「つまり・水漏れ・冷蔵庫の修理」または「不用品回収は弊社にお任せ！」または「ブレーキ金型は弊社にお任せ！」などの広告文が表示されるメッセージ表示領域１１０を有する。
なお、表面に設備を管理する設備管理者から設備を使用する設備使用者に向けた設備使用者向けメッセージが表示される設備使用者向けのメッセージ表示領域１１０を有するようにしても良い。
【００１４】
広告付きマグネット１００の形状は、略長方形である。広告付きマグネット１００の大きさは、例えば、横方向の長さが９ｃｍであり、縦方向の長さが６ｃｍであるが特に限定されない。広告付きマグネット１００の大きさは、縦方向の長さが３ｃｍ〜３０ｃｍであっても良く、横方向の長さが３ｃｍ〜３０ｃｍであっても良い。また、広告付きマグネット１００の形状は、四角形状であれば良い。
【００１５】
また、広告付きマグネット１００の形状は、円形状としてもよい。例えば、その際の広告付きマグネット１００の大きさは、直径の長さが９ｃｍである。広告付きマグネット１００の大きさは、直径の長さが３ｃｍ〜３０ｃｍであっても良い。
〈メッセージ表示領域〉
広告付きマグネット１００の表面には、メッセージ表示領域１１０が形成される。
【００１６】
メッセージ表示領域１１０には、「つまり・水漏れ・冷蔵庫の修理」または「不用品回収は弊社にお任せ！」または「ブレーキ金型は弊社にお任せ！」などの広告文が表示される。また、メッセージ表示領域１１０には、問い合わせ用のメールアドレスや、電話番号や、ファックス番号や、社名などが表示される。
なお、メッセージ表示領域１１０には、広告付きマグネット１００を貼る場所（掲載される場所）を指定するための、設備管理者に向けた「冷蔵庫に貼って使ってね」などのメッセージが表示されるようにしても良い。
【００１７】
また、メッセージ表示領域１１０には、広告付きマグネット１００を店舗の設備内、例えば、冷蔵庫・ドア・金属机等に貼ってもらうための、設備管理者に向けた「冷蔵庫は綺麗に使いましょう」などのメッセージが表示される。なお、メッセージ表示領域１１０は、広告付きマグネット１００の表面のいずれかに領域に形成されていれば良い。
【００１８】
また、例えば、設備使用者向けのメッセージ表示領域１１０には、設備を管理する設備管理者から設備を使用する設備使用者に向けた設備使用者向けメッセージが表示される。設備使用者とは、家庭や店舗内の冷蔵庫を使用する者である。例えば、設備が飲食店である場合、設備使用者としては飲食店に来店する顧客が該当する。
【００１９】
設備使用者向けメッセージは、設備を管理する設備管理者から設備を使用する設備使用者に向けたメッセージであり、設備管理者から設備使用者への要望などが該当する。設備が冷蔵庫である場合、設備使用者向けメッセージは、冷蔵庫を汚さずに使用することを設備使用者に促すメッセージである。
【００２０】
このように設備使用者向けメッセージを表示させることで、冷蔵庫が汚れることを抑制できる。
【００２１】
図２は、本考案の一実施の形態におけるスケール付きマグネット２００の平面図である。
【００２２】
図２に示されるように、スケール付きマグネット２００は、表面に設備を管理する設備管理者から設備を使用する設備使用者に向けた設備使用者向けメッセージが表示される設備使用者向けのメッセージ表示領域１１０と、前記表面内の一辺にスケール（目盛り）が表示されるスケール表示領域１２０とを有する。より望ましくは、スケール（目盛り）が表示されるスケール表示領域１２０は、マグネット１００の下辺の内側に設けられる。
【００２３】
スケール付きマグネット２００の形状は、略長方形である。スケール付きマグネット２００の大きさは、例えば、横方向の長さが９ｃｍであり、縦方向の長さが６ｃｍであるが特に限定されない。スケール付きマグネット２００の大きさは、縦方向の長さが３ｃｍ〜３０ｃｍであっても良く、横方向の長さが３ｃｍ〜３０ｃｍであっても良い。また、スケール付きマグネット２００の形状は、四角形状であれば良い。
〈スケール〉
スケール付きマグネット２００は、表面内の一辺にスケールが表示されるスケール表示領域１２０を有する。
【００２４】
スケール表示領域１２０は、スケール付きマグネット２００の表面内の任意の一辺、例えば長手方向にスケールを表示させる。スケール表示領域１２０が表示させるスケールは、例えば１ｍｍ毎に目盛りが設けられている。
【００２５】
なお、スケール表示領域１２０は、スケール付きマグネット２００の表面内の四辺にスケールを表示させてもよい。
【００２６】
このように、スケール付きマグネット２００が、表面にスケール表示領域１２０を有することで、ポスティング等でスケール付きマグネット２００を手渡された人がスケール表示領域１２０を利用できるようになり、スケール付きマグネット２００が捨てられるのを抑制できる。
〈枠部〉
スケール付きマグネット２００の枠部１３０は、台紙と略同一の四角形状で構成される。
【００２７】
枠部１３０は、裏面２１０のマグネット部材に接着剤で形成される粘着層が設けられている。なお、粘着層は、粘着力を発生させるものであれば如何なるものであってもよく、粘着剤を塗布して形成されてもよいし、両面テープで形成されてもよい。
【００２８】
また、枠部１３０と、スケール付きマグネット２００とを構成する文字、図形、記号、絵柄等を、通常の印刷インキを使用して形成する代わりに、例えば、蛍光性インキ、示温性インキ等を使用しても良い。
【００２９】
また、枠部１３０と、スケール付きマグネット２００の構造を凹凸画像等にすることで、文字、図形、記号、絵柄等を形成するようにしても良い。さらに、ホログラフィー等を使用して枠部１３０、スケール付きマグネット２００を形成しても良い。
〈マグネット〉
図３は、本考案の一実施の形態におけるスケール付きマグネット２００の底面図である。
【００３０】
図３に示されるように、スケール付きマグネット２００は、裏面にマグネット２１０を有する。
【００３１】
マグネット２１０は、スケール付きマグネット２００は、表面と裏面との間に接着剤で形成される粘着層が設けられ、剥離可能に仮着されている。なお、粘着層は、粘着力を発生させるものであれば如何なるものであってもよく、粘着剤を塗布して形成されてもよいし、両面テープで形成されてもよい。
【００３２】
図４は、本考案の一実施の形態におけるスケール付きマグネット２００の斜視図である。
【００３３】
図４に示されるように、スケール付きマグネット２００は、表面に設備を管理する設備管理者から設備を使用する設備使用者に向けた設備使用者向けメッセージが表示される設備使用者向けメッセージ表示領域１１０を有する。
【００３４】
また、スケール付きマグネット２００は、表面内の一辺にスケールが表示されるスケール表示領域１２０を有する。また、スケール付きマグネット２００は、裏面にマグネット２１０を有する。
＜本実施の形態の効果＞
以上説明した本実施の形態によれば、設備を管理する設備管理者から設備を使用する設備使用者に向けた設備使用者向けメッセージが表示される設備使用者向けメッセージ表示領域１２０を有することで、広告付きマグネット１００およびスケール付きマグネット２００は、修理業者の広告が設備内に掲載されやすくなる。すなわち、広告付きマグネット１００およびスケール付きマグネット２００は、修理業者の集客効果を高めることができる。
【００３５】
また、広告付きマグネットおよびスケール付きマグネット２００が、表面にスケール表示領域１２０を有することで、ポスティング等で広告付きマグネット１００およびスケール付きマグネット２００を手渡された人がスケール表示領域１２０を利用できるようになり、広告付きマグネット１００およびスケール付きマグネット２００が捨てられるのを抑制できる。
【００３６】
以上、本考案者によってなされた考案を実施の形態に基づき具体的に説明したが、本考案は前記実施の形態に限定されるものではなく、その要旨を逸脱しない範囲で種々変更可能であることはいうまでもない。例えば、広告付きマグネット１００およびスケール付きマグネット２００の形状が三角形状、五角形状、六角形状、七角形状、八角形上、九角形状である実施形態もある。また、たとえば、広告付きマグネット１００およびスケール付きマグネット２００は、上記以外にも、メッセージを表示可能な形状であれば良い。
【００３７】
本考案は、上記実施の形態に限定されるものではなく、その要旨を逸脱しない範囲で種々変更可能であることは言うまでもない。また、上記した実施の形態は本考案を分かりやすく説明するために詳細に説明したものであり、必ずしも説明した全ての構成を備えるものに限定されるものではない。例えば、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【符号の説明】
【００３８】
１００…広告付きマグネット
１１０…メッセージ表示領域
１２０…スケール
１３０…枠部
２００…スケール付きマグネット
２１０…マグネット
【図１】
0003224379.tif 000003
【図２】
0003224379.tif 000004
【図３】
0003224379.tif 000005
【図４】
0003224379.tif 000006